(57)【要約】      （修正有）【課題】ミシンに上飾り糸軸伝動構造と針棒駆動軸伝動構造を適当に組み合わせ、ミシンの高速運転作業時における振動現象を防ぐ縦直筒型三針ミシンの伝動構造を提供する。【解決手段】縦直筒型三針ミシンの伝動構造は、主に、ミシンの主軸１０の出力した動力を、二つの偏心輪を備えた従動軸１と、二つのスイングアーム部と、一つの横軸４を経て、ミシンのアーム部前端に伝え、それぞれがアーム部前端に設けた上飾り糸軸５と針棒駆動軸６を駆動して交互作動を起こすことにより、ミシンはミシン本体の振動を防ぎ安定した縫製作動が行えるものである。これにより、高速運転の縫製作業に役立ち、同時に、伝動構造が針棒駆動軸６を連動する作動ストロークに対しても、縫製布の厚さに基づいて最適な配置に調節することができる。【選択図】図１
0003134458.tif 000002
【実用新案登録請求の範囲】
【請求項１】
一つの従動軸、二つの偏心輪、二つのスイングアーム部、一つの横軸により構成される縦直筒型三針ミシンの伝動構造において、
該従動軸は、ミシン本体の後方上端箇所において横方向に軸設するものであり、ミシンの主軸とは一つのプーリーによって動力連結を成しており、
該偏心輪は、従動軸の連動を受けて偏心回転を生じさせる構成要素であり、該第一偏心輪は、上飾り糸軸を回転させる移動動力を提供するものであり、該第二偏心輪は、針棒駆動軸に上下移動させる移動動力を提供するものであり、
該スイングアーム部は、上飾り糸軸に伝動する第一スイングアーム部、及び針棒駆動軸に伝動する第二スイングアーム部を含んでおり、二つのスイングアーム部はそれぞれ、第一偏心輪と第二偏心輪の偏心回転移動量によって、上飾り糸軸を回転させ、また針棒駆動軸に上下移動作動を起こさせ、
該横軸は、二つのスイングアームの動力を方向転換させる支軸であり、それと従動軸は、ほぼ平行状態を成し、ミシン本体の前方上端箇所に設置しており、
上述の構成要素を用いて、従動軸は、主軸の動力を受けて、連動する二つの偏心輪を回転させるが、第一偏心輪と第二偏心輪の作用方向は逆であり、第一スイングアーム部と第二スイングアーム部の動作には、一つが前一つが後ろの周期的な往復運動が現われ、よって、伝動構造全体は、この逆方向の偏心離心運動によって、相互に力のバランスを取る故、大幅にミシン本体の振動を低下させることを特徴とする縦直筒型三針ミシンの伝動構造。
【請求項２】
前記第一偏心輪は、嵌設結合方式によって従動軸上の選定箇所に設置することを特徴とする請求項１記載の縦直筒型三針ミシンの伝動構造。
【請求項３】
前記第二偏心輪は、従動軸の軸棒上に直接成形することを特徴とする請求項１記載の縦直筒型三針ミシンの伝動構造。
【請求項４】
前記第一スイングアーム部は、一つの前連結棒、一つのスイングアーム、一つの後連結体、及び横這いアームにより構成され、前連結棒の一端には一つの軸嵌合体を成形し、軸嵌合体内に軸受けを嵌入し、軸受けには第一偏心輪を嵌設し、横這いアームを横軸上に嵌設して、前連結棒の別の一端とスイングアームの一端を相互に軸着連結し、また、スイングアームの別の一端の球状は後連結体の一端に軸着し、後連結体のもう一端を横這いアームに軸設、横這いアームで上飾り糸軸を挟設することを特徴とする請求項１記載の縦直筒型三針ミシンの伝動構造。
【請求項５】
前記第二スイングアーム部は、一つの前連結棒、一つのスイングアーム、一つの後連結体、一つの針棒連結体、及び一つの偏心ボルトにより構成されており、前連結棒の一端には一つのブッシュを成形しており、ブッシュには一つのブッシュ蓋体を組み合わせて、第二偏心輪を挟み込んでおり、スイングアームは横軸上に嵌設し、前連結棒のもう一端とスイングアームの一端は偏心ボルトによって相互に軸着連結しており、スイングアームのもう一端は後連結体の一端に軸着しており、後連結体のもう一端は針棒連結体に軸着し、針棒連結体は針棒駆動軸を挟設していることを特徴とする請求項１記載の縦直筒型三針ミシンの伝動構造。
【請求項６】
前記後連結体の結合端に一つの支承体を形成し、支承体を支承体蓋体に対応させて螺着、支承体と支承体蓋体の間に支軸の球形端を挟み込み、支軸をスイングアームに軸着し、これにより、スイングアームと後連結体の球状の軸着構造が構成されることを特徴とする請求項４記載の縦直筒型三針ミシンの伝動構造。
【請求項７】
前記前連結棒は偏心ボルトの軸嵌合部を嵌設し、スイングアームは、軸嵌合部末端の偏心作用軸を嵌入することを特徴とする請求項５記載の縦直筒型三針ミシンの伝動構造。
【考案の詳細な説明】
【技術分野】
【０００１】
本考案は、縦直筒型三針ミシンの伝動構造設計に関するものであり、特に、ミシン底部の主軸動力を一つの従動軸によって偏心輪とスイングアーム部に組み合わせ、それぞれミシンのアーム前端の上飾り糸軸と針棒駆動軸に伝える伝動構造設計である。
【背景技術】
【０００２】
一般の既製服メーカーが衣服の袖やボディ等筒状部位の縫製作業をする場合、筒型機械本体を備えた工業ミシンに頼って作業を進めている。衣服の筒状部位の縫製方向には、筒状部位の径方向と筒状部位の軸方向の二種類ある故、該筒型ミシンは、横筒型ミシンと縦筒型ミシンに分けられている。また、既製服の縫い糸パターンは多様に変化する傾向にあり、市場の要求に応える為、前述二種の筒型ミシンは、多針縫製様式を備えた機種に発展している。
【０００３】
また、多針縫製の上飾り糸に合わせた縫い糸パターンについては、二種類の筒型ミシンの縫製方向が異なる故、横筒型ミシンは上飾り糸軸の配置には困難がなく、構造上、動力伝導方向を避けられる適当な配置が確実に可能である。しかし、縦直筒型三針ミシンの場合、縫製方向が筒型ミシン本体の軸方向であることに制限されており、この針棒駆動軸と上飾り糸軸の相対した構造位置は、動力伝動方向の配置の影響を受けて複雑になっている為に、ミシン本体の振動現象が生じ、ミシンの縫製品質と速度に影響を与えている。
【０００４】
よって、本考案者は、ミシン商品の多年に渡る研究開発、製造などの経験に基づき、本考案の縦直筒型三針ミシンの伝動構造を新しく開発した。よって、本考案においては、効果的な構造配置を持ち、振動を減少させる効果を持つ縦直筒型三針ミシンの伝動構造を提供する。
【考案の開示】
【考案が解決しようとする課題】
【０００５】
本考案の第一目的は、縦直筒型三針ミシンの伝動構造を提供することにある。それは主に、ミシンに上飾り糸軸伝動構造と針棒駆動軸伝動構造を適当に組み合わせ、ミシンの高速運転作業時における振動現象を防ぐ縦直筒型三針ミシンの伝動構造であるる。
【０００６】
本考案の第二目的は、縦直筒型三針ミシンの伝動構造を提供することにある。それは、それに含まれる第一スイングアーム部が、一つの前連結棒、一つのスイングアーム、一つの後連結体、及び横這いアームにより構成され、前連結棒が第一偏心輪の偏心回転移動量によって、スイングアームに後連結体と横這いアームを連動させた後、上飾り糸軸を駆動して回転させる縦直筒型三針ミシンの伝動構造である。
【０００７】
本考案の第三目的は、縦直筒型三針ミシンの伝動構造を提供することにある。それは、それに含まれる第二スイングアーム部が、一つの前連結棒、一つのスイングアーム、一つの後連結体、及び針棒連結体により構成されており、前連結棒が第二偏心輪の偏心回転移動量によって、スイングアームに後連結体と針棒駆動軸を連動させた後、針棒駆動軸を駆動して上下移動作動させる縦直筒型三針ミシンの伝動構造である。
【０００８】
本考案の第四目的は、縦直筒型三針ミシンの伝動構造を提供することにある。それは、第二スイングアーム部を前連結棒とスイングアームの間に偏心ボルトで軸着連結し、偏心ボルトの偏心作用軸の位置を調節することにより、前連結棒のスイングアームを連動するスイング角度を変更し、針棒駆動軸の上下作動ストロークを、縫製布の厚さに応じて適宜調節する縦直筒型三針ミシンの伝動構造である。
【課題を解決するための手段】
【０００９】
請求項１の考案は、一つの従動軸、二つの偏心輪、二つのスイングアーム部、一つの横軸により構成される縦直筒型三針ミシンの伝動構造において、
該従動軸は、ミシン本体の後方上端箇所において横方向に軸設するものであり、ミシンの主軸とは一つのプーリーによって動力連結を成しており、
該偏心輪は、従動軸の連動を受けて偏心回転を生じさせる構成要素であり、該第一偏心輪は、上飾り糸軸を回転させる移動動力を提供するものであり、該第二偏心輪は、針棒駆動軸に上下移動させる移動動力を提供するものであり、
該スイングアーム部は、上飾り糸軸に伝動する第一スイングアーム部、及び針棒駆動軸に伝動する第二スイングアーム部を含んでおり、二つのスイングアーム部はそれぞれ、第一偏心輪と第二偏心輪の偏心回転移動量によって、上飾り糸軸を回転させ、また針棒駆動軸に上下移動作動を起こさせ、
該横軸は、二つのスイングアームの動力を方向転換させる支軸であり、それと従動軸は、ほぼ平行状態を成し、ミシン本体の前方上端箇所に設置しており、
上述の構成要素を用いて、従動軸は、主軸の動力を受けて、連動する二つの偏心輪を回転させるが、第一偏心輪と第二偏心輪の作用方向は逆であり、第一スイングアーム部と第二スイングアーム部の動作には、一つが前一つが後ろの周期的な往復運動が現われ、よって、伝動構造全体は、この逆方向の偏心離心運動によって、相互に力のバランスを取る故、大幅にミシン本体の振動を低下させることを特徴とする縦直筒型三針ミシンの伝動構造としている。
請求項２の考案は、前記第一偏心輪は、嵌設結合方式によって従動軸上の選定箇所に設置することを特徴とする請求項１記載の縦直筒型三針ミシンの伝動構造としている。
請求項３の考案は、前記第二偏心輪は、従動軸の軸棒上に直接成形することを特徴とする請求項１記載の縦直筒型三針ミシンの伝動構造としている。
請求項４の考案は、前記第一スイングアーム部は、一つの前連結棒、一つのスイングアーム、一つの後連結体、及び横這いアームにより構成され、前連結棒の一端には一つの軸嵌合体を成形し、軸嵌合体内に軸受けを嵌入し、軸受けには第一偏心輪を嵌設し、横這いアームを横軸上に嵌設して、前連結棒の別の一端とスイングアームの一端を相互に軸着連結し、また、スイングアームの別の一端の球状は後連結体の一端に軸着し、後連結体のもう一端を横這いアームに軸設、横這いアームで上飾り糸軸を挟設することを特徴とする請求項１記載の縦直筒型三針ミシンの伝動構造としている。
請求項５の考案は、前記第二スイングアーム部は、一つの前連結棒、一つのスイングアーム、一つの後連結体、一つの針棒連結体、及び一つの偏心ボルトにより構成されており、前連結棒の一端には一つのブッシュを成形しており、ブッシュには一つのブッシュ蓋体を組み合わせて、第二偏心輪を挟み込んでおり、スイングアームは横軸上に嵌設し、前連結棒のもう一端とスイングアームの一端は偏心ボルトによって相互に軸着連結しており、スイングアームのもう一端は後連結体の一端に軸着しており、後連結体のもう一端は針棒連結体に軸着し、針棒連結体は針棒駆動軸を挟設していることを特徴とする請求項１記載の縦直筒型三針ミシンの伝動構造としている。
請求項６の考案は、前記後連結体の結合端に一つの支承体を形成し、支承体を支承体蓋体に対応させて螺着、支承体と支承体蓋体の間に支軸の球形端を挟み込み、支軸をスイングアームに軸着し、これにより、スイングアームと後連結体の球状の軸着構造が構成されることを特徴とする請求項４記載の縦直筒型三針ミシンの伝動構造としている。
請求項７の考案は、前記前連結棒は偏心ボルトの軸嵌合部を嵌設し、スイングアームは、軸嵌合部末端の偏心作用軸を嵌入することを特徴とする請求項５記載の縦直筒型三針ミシンの伝動構造としている。
【考案の効果】
【００１０】
以上説明したように、本考案の縦直筒型三針ミシンの伝動構造は、ミシンに上飾り糸軸伝動構造と針棒駆動軸伝動構造を適当に組み合わせ、ミシンの高速運転作業時における振動現象を防ぐことを特徴とする。
【考案を実施するための最良の形態】
【００１１】
図１及び図２に示すとおり、本考案の縦直筒型三針ミシンの伝動構造は、主に、ミシンの主軸１０から来る動力を受ける従動軸１、二つの偏心輪、二つのスイングアーム部、及び一つの横軸４により構成されている。
【００１２】
その内、従動軸１は、ミシン本体の後方上端箇所において横方向に軸設し、主軸１０とほぼ平行状態になっており、その一端はプーリー１１によって主軸１０との動力連結を成している。
【００１３】
二つの偏心輪は、従動軸１に連動されて偏心回転を生じさせる構成要素であり、該第一偏心輪２Ａは、上飾り糸軸５を回転させる移動動力を提供するものであり、従動軸１上の選定箇所に嵌設する。該第二偏心輪２Ｂは、針棒駆動軸６に上下移動させる移動動力を提供するものであり、針棒駆動軸６がかなりの移動量を必要とする故、第二偏心輪２Ｂは、従動軸１の軸棒上に直接成形する。
【００１４】
二つのスイングアーム部は、上飾り糸軸５に伝動する第一スイングアーム部３Ａ、及び針棒駆動軸６に伝動する第二スイングアーム部３Ｂに区分される。
【００１５】
第一スイングアーム部３Ａ（図３参照）は、一つの前連結棒３１Ａ、一つのスイングアーム３２Ａ、一つの後連結体３３Ａ、及び横這いアーム３４Ａにより構成されている。前連結棒３１Ａの一端に一つの軸嵌合体３１１Ａを成形し、軸嵌合体３１１Ａ内に軸受け３１２Ａを嵌入し、軸受け３１２Ａには第一偏心輪２Ａを嵌設し、スイングアーム３２Ａを横軸４上に嵌設して、前連結棒３１Ａの別の一端とスイングアーム３２Ａの一端を相互に軸着連結する。また、スイングアーム３２Ａの別の一端の球状には、後連結体３３Ａの一端を軸着し、後連結体３３Ａのもう一端を横這いアーム３４Ａに軸着する（図４参照）。これにより、前連結棒３１Ａの一端は、第一偏心輪２Ａが偏心回転するのを受けて前後方向にスイングし、動力が、スイングアーム３２Ａ、後連結体３３Ａを経て横這いアーム３４Ａのもう一端に挟設した上飾り糸軸５に伝えられると、上飾り糸軸５は往復運動を始める（図５参照）。
【００１６】
第二スイングアーム部３Ｂ（図６参照）は、一つの前連結棒３１Ｂ、一つのスイングアーム３２Ｂ、一つの後連結体３３Ｂ、一つの針棒連結体３４Ｂ、及び一つの偏心ボルト３５Ｂにより構成されている。前連結棒３１Ｂの一端には一つのブッシュ３１３Ｂを成形しており、ブッシュ３１３Ｂには一つのブッシュ蓋体３１４Ｂを組み合わせて、第二偏心輪２Ｂを挟んで包み込んでいる。スイングアーム３２Ｂは横軸４上に嵌設しており、前連結棒３１Ｂのもう一端とスイングアーム３２Ｂの一端は偏心ボルト３５Ｂによって軸着連結しており、前連結棒３１Ｂは偏心ボルト３５Ｂの軸嵌合部３５１Ｂと嵌設し、スイングアーム３２Ｂは、軸嵌合部３５１Ｂ末端の偏心作用軸３５２Ｂを嵌入しており、また、スイングアーム３２Ｂのもう一端は後連結体３３Ｂの一端に軸着しており、後連結体３３Ｂのもう一端を針棒連結体３４Ｂに軸着している（図７参照）。よって、前連結棒３１Ｂの一端は、第二偏心輪２Ｂの偏心回転を受けて前後方向にスイングし、動力は、スイングアーム３２Ｂ、後連結体３３Ｂを経て、針棒連結体３４Ｂのもう一端に挟設した針棒駆動軸６に伝えられ、針棒駆動軸６には往復式の上下移動作動が生じる（図８参照）。
【００１７】
横軸４は、スイングアーム３２Ａ、スイングアーム３２Ｂの動力を方向転換させる支軸であり、それと従動軸１は、ほぼ平行状態を成し、ミシン本体の前方上端箇所に設置される。
【００１８】
上述の構成要素も用いて、従動軸１は、主軸１０の動力を受けて、連動する二つの偏心輪を回転させるが、第一偏心輪２Ａと第二偏心輪２Ｂの作用方向は逆であり、第一スイングアーム部３Ａと第二スイングアーム部３Ｂの動作には、一つが前一つが後ろの周期的な往復運動が現われる。よって、伝動構造全体は、この逆方向の偏心離心運動によって、相互に力のバランスをとる故、大幅にミシン本体の振動を低下させて、縫製作業の高速処理ができる。
【００１９】
また、針棒駆動軸６の往復式上下移動の縫製ストロークにおいては、縫製予定の布の厚さに符合させる為に、本考案は、前連結棒３１Ｂとスイングアーム３２Ｂの間を偏心ボルト３５Ｂで軸着連結し、偏心ボルト３５Ｂの偏心作用軸３５２Ｂ位置を変更することによって、前連結棒３１Ｂが連動するスイングアーム３２Ｂのスイング角度に変化を生じさせる（図９及び図１０参照）。これにより、針棒駆動軸６の上下往復ストロークに調整を加え、縫製布の厚さにマッチさせる。
【００２０】
次に、本考案は、剛体構造で連動する時の三次元空間移動変化量を克服する為に、特に、該軸着連動部位に球状軸着構造を採用し、剛体構造に引っ張ったり押したりする二次空間位置変化を持たせる他、同時に生じる第三次元回転角度変化量に対しても効果的な実施ができるようにした。例えば、第一スイングアーム部３Ａのスイングアーム３２Ａと後連結体３３Ａの軸着連動部位は、後連結体３３Ａが横這いアーム３４Ａを連動して、上飾り糸軸５を回転させなければならない故、スイングアーム３２Ａが力を受けて後連結体３３Ａを連動する場合、該後連結体３３Ａは、同時にスイングアーム３２Ａの押したり引っ張る力と横這いアーム３４Ａの位置限定を受けて、後連結体３３Ａは三次元空間の移動を引き起こす。
【００２１】
上述のスイングアーム３２Ａと後連結体３３Ａの球状軸着構造は、後連結体３３Ａの結合端に一つの支承体３３１Ａを形成し、支承体３３１Ａを支承体蓋体３３２Ａに対応させて螺着、支承体３３１Ａと支承体蓋体３３２Ａの間に支軸３３３Ａの球形端を挟み込み、支軸３３３Ａをスイングアーム３２Ａに軸着する構造であり、このようにして、後連結体３３Ａの三次元空間移動動作を達成する。
しかし、上述したものは、本考案の最良実施例であるだけであり、これによって本考案の実施範囲を制限するものではなく、本考案の実用新案出願範囲および実施形態の説明に基づいて為された簡単および同等の変化や修飾は全て、本考案の出願範囲の範疇に含まれることを、ここに特別に付け加える。
【００２２】
上述したとおり、本考案の縦直筒型三針ミシンの伝動構造は、確実にミシンに高速且つ安定した縫製効果をもたらすことができ、伝動構造全体の配置と針棒駆動軸と上飾り糸軸の相対構造位置は、最良にマッチしたものである故、確実に効果増進できる。
【図面の簡単な説明】
【００２３】
【図１】本考案をミシン内部の相関位置に組み入れた立体図である。
【図２】本考案の組立て断面図である。
【図３】本考案の局部分解立体図（上飾り糸軸伝動部分）である。
【図４】本考案の上飾り糸軸伝動部分の組立て立体図である。
【図５】上飾り糸軸の伝動作動図である。
【図６】本考案のもう一つの局部分解立体図（針棒駆動軸伝動部分）である。
【図７】本考案の針棒駆動軸伝動部分の組立立体図である。
【図８】針棒駆動軸の伝動作動図である。
【図９】前連結棒が偏心ボルトによってスイングアームに最大ストローク変化量を生じさせた場合の位置図である。
【図１０】前連結棒が偏心ボルトによってスイングアームに最小ストローク変化量を生じさせた場合の位置図である。
【符号の説明】
【００２４】
１  従動軸
１０  主軸
１１  プーリー
２Ａ  第一偏心輪
２Ｂ  第二偏心輪
３Ａ  第一スイングアーム部
３Ｂ  第二スイングアーム部
３１Ａ  前連結棒
３１Ｂ  前連結棒
３１１Ａ  軸嵌合体
３１２Ａ  軸受け
３１３Ｂ  ブッシュ
３１４Ｂ  ブッシュ蓋体
３２Ａ  スイングアーム
３２Ｂ  スイングアーム
３３Ａ  後連結体
３３Ｂ  後連結体
３３１Ａ  支承体
３３２Ａ  支承体蓋体
３３３Ａ  支軸
３４Ａ  横這いアーム
３４Ｂ  針棒連結体
３５Ｂ  偏心ボルト
３５１Ｂ  軸嵌合部
３５２Ｂ  偏心作用軸
４  横軸
５  上飾り糸軸
６  針棒駆動軸
【図１】
0003134458.tif 000003
【図２】
0003134458.tif 000004
【図３】
0003134458.tif 000005
【図４】
0003134458.tif 000006
【図５】
0003134458.tif 000007
【図６】
0003134458.tif 000008
【図７】
0003134458.tif 000009
【図８】
0003134458.tif 000010
【図９】
0003134458.tif 000011
【図１０】
0003134458.tif 000012